(57)【特許請求の範囲】
【請求項１】
購読者装置と書店装置と出版社装置とがネットワークを介して接続された電子書籍システムであって、
前記購読者装置は、
所定の入力操作に基づいて生成する、購読する電子書籍に対応する書籍名，価格を含む書籍情報と、前記購読者装置を特定する購読者装置情報と、代金の支払いに使用する口座番号を含む支払い情報と、を有する契約情報を、前記書店装置に対して送信すると共に、前記書店装置から送られてくる暗号鍵を前記購読者側記憶部に保存する前記契約部と、
前記契約部が送信した前記契約情報に対応して前記出版社装置から送られてくる、前記電子書籍に暗号化解除プログラムが付加された暗号化電子書籍を受け、前記購読者側記憶部に保存し、前記書店装置から予め受けた前記暗号鍵および前記暗号化解除プログラムを使用して前記暗号化電子書籍を復号する前記暗号化書籍管理部とを備え、
前記書店装置は、前記購読者装置から送られてくる前記契約情報中の前記書籍情報内の前記価格によって示される前記電子書籍の代金を、前記契約情報中の前記支払い情報で示す前記口座番号の口座から引き落とす代金徴収部と、
前記出版社装置に対して前記契約情報中の前記書籍情報と前記購読者装置情報とを送信する通知部とを備え、
前記出版社装置は、前記書店装置から送られてきた前記書籍情報内の前記書籍名で示される前記電子書籍を、予め格納した複数の電子書籍から取り出して暗号化しこの暗号化した前記暗号化電子書籍および前記暗号化解除プログラムを、前記書店装置から送られてきた前記購読者装置情報によって特定される前記購読者装置へ配信する暗号化書籍配信部を有することを特徴とする電子書籍システム。
【請求項２】
請求項１記載の電子書籍システムにおいて、
前記ネットワークが、インターネットであることを特徴とする電子書籍システム。
【発明の詳細な説明】
【０００１】
【発明の属する技術分野】
本発明は、ネットワークを介して電子書籍を販売する電子書籍システムに関し、特に、既存の書店においても利益を得ることができる電子書籍システムに関する。
【０００２】
【従来の技術】
書籍は生産者である出版社から取次ぎ会社を経由して書店にならぶ。書籍販売に関するこの物流システムは再販制度や返品制度などの多くの問題を抱えいるものの、長年の経験を蓄積してきた結果として、現在の出版業界を支えてきたものである。また、顧客にもっとも接する機会のある書店は、出版業界における最先端を位置しており、業界全体を支えているといっても過言ではない。
【０００３】
しかしその一方で、現在のIT技術の進歩は目覚しいものがあり、出版業界においても、電子書籍や電子書籍システムといったIT技術を駆使したシステムが提案されていたり実施されている。
【０００４】
たとえば、テキストや図表、画像などにより構成された電子書籍を配布して閲覧するシステムとしては、特開2000-113050号公報のようなシステムがあった。このシステムでは、電子書籍の発行元は、電子書籍を専用に管理する電子書籍ビューアでのみ読み出せる形式でかつ、その本専用の閲覧鍵により一部暗号化し、該閲覧鍵のない状態では一部の情報が正常に読み出せない情報にして配布する。講読者は、一部欠落した電子書籍を閲覧し、正規の情報を入手を希望する場合、閲覧鍵を有償にて入手し、暗号部分を解除してすべての情報を閲覧する。よって、出版社は不正コピーによる資産流出を防ぎながら、電子書籍を購読者に有償配布することが可能となる。
【０００５】
このような技術が広く広まることで、書籍購入者は、より速くより安価で書籍が購入できる可能性が生じる。
【０００６】
【発明が解決しようとする課題】
上述した文献においては、書店については特に言及されておらず、出版社と購読者とだけを通信回線で直接接続している。従って、従来の書籍流通制度をこれら文献開示の電子書籍システムにとって変えた場合には、従来の書店による書籍販売制度という既存の社会システムを廃止することが前提となる、すなわち従来からの書籍流通制度を担ってきた書店販売制度の廃止が前提となる。しかし、これら制度の廃止により、書店販売制度が衰退することで、顧客は書籍を書店で確認してから購入するといった、書籍を購入する際の通常の購入方法ができなくなってしまう。また、これまで蓄積されてきた書籍出版や流通、販売のノウハウといった、無形財産も喪失してしまう。
【０００７】
【発明の目的】
本発明は、これら状況を鑑みて、既存のシステムを生かしつつ、IT技術を導入した新たなシステムを提案することで、より便利で新しい書籍流通システムを確立することを目的とする。
【００１２】
【課題を解決するための手段】
本発明の電子書籍システムは、購読者装置と書店装置と出版社装置とがネットワークを介して接続された電子書籍システムであって、
前記購読者装置は、
所定の入力操作に基づいて生成する、購読する電子書籍に対応する書籍名，価格を含む書籍情報と、前記購読者装置を特定する購読者装置情報と、代金の支払いに使用する口座番号を含む支払い情報と、を有する契約情報を、前記書店装置に対して送信すると共に、前記書店装置から送られてくる暗号鍵を前記購読者側記憶部に保存する前記契約部と、
前記契約部が送信した前記契約情報に対応して前記出版社装置から送られてくる、前記電子書籍に暗号化解除プログラムが付加された暗号化電子書籍を受け、前記購読者側記憶部に保存し、前記書店装置から予め受けた前記暗号鍵および前記暗号化解除プログラムを使用して前記暗号化電子書籍を復号する前記暗号化書籍管理部とを備え、
前記書店装置は、前記購読者装置から送られてくる前記契約情報中の前記書籍情報内の前記価格によって示される前記電子書籍の代金を、前記契約情報中の前記支払い情報で示す前記口座番号の口座から引き落とす代金徴収部と、
前記出版社装置に対して前記契約情報中の前記書籍情報と前記購読者装置情報とを送信する通知部とを備え、
前記出版社装置は、前記書店装置から送られてきた前記書籍情報内の前記書籍名で示される前記電子書籍を、予め格納した複数の電子書籍から取り出して暗号化しこの暗号化した前記暗号化電子書籍および前記暗号化解除プログラムを、前記書店装置から送られてきた前記購読者装置情報によって特定される前記購読者装置へ配信する暗号化書籍配信部を有する。
【００１８】
【発明の実施の形態】
次に本発明の実施の形態について図面を参照して詳細に説明する。
【００１９】
【第１の実施の形態】
図１は本発明にかかる電子書籍システムの第１の実施の形態を示すブロック図である。
【００２０】
本実施の形態の電子書籍システムは、書籍出版などを行う出版社に設置してある出版社装置300と、書籍を購買者に直接、販売している書店に設置してある書店装置200と、書籍を購入する人が持っている購読者装置100と、それらを相互に接続する専用回線、無線ネットワーク、インターネットといったネットワーク400とから構成されている。
【００２１】
購読者装置100は、書店装置200から契約画面情報を取得し、契約画面を表示する機能や、購読者が契約画面上で行う操作に従って、契約情報を書店装置200へ送信する機能や、出版社装置300から配信されてくる電子書籍を保存する機能などを有する。
【００２２】
このような機能を有する購読者装置100は、例えば、図２のブロック図に示す構成を有する。同図に示すように、購読者装置100は、ネットワーク制御部110と、制御部120と、記憶部130と、キーボード、マウス、タッチパネルなどの入力部140と、LCD等の表示部150と、記録媒体160とから構成されている。
【００２３】
ネットワーク制御部110は、ネットワーク400へのデータ入出力制御を行う機能を有する。
【００２４】
制御部120は、例えば、コンピュータによって実現されるものであり、契約部121と、書籍管理部122とから構成されている。契約部121は、書店装置200から送られてくる契約画面情報に基づいて、表示部150に契約画面を表示する機能や、購読者が契約画面上で行う操作に従って契約情報を作成する機能や、契約情報を書店装置200へ送信する機能を有する。
【００２５】
書籍管理部122は、出版社装置300から送られてくる電子書籍を記憶部130に保存する機能や、購読者の指示に従って電子書籍を表示部150に表示する機能などを有する。
【００２６】
制御部120に接続されている記録媒体160は、ディスク、半導体メモリ、その他の記録媒体であり、コンピュータからなる制御部120を電子書籍システムの一部として機能させるためのプログラムが記録されている。このプログラムは、制御部120によって読み取られ、その動作を制御することで、制御部120上に契約部121、書籍管理部122を実現する。
【００２７】
記憶部130には、配信されてきた電子書籍13１が格納される。
【００２８】
書店装置200は、購読者装置100に契約画面情報を送信する機能や、購読者装置100から送られてくる契約情報を保存する機能や、購読者が購入する書籍の代金を購読者から徴収する機能や、出版社装置300に購読要求を送信する機能などを有する。
【００２９】
このような機能を有する書店装置200は、例えば図３のブロック図に示す構成を有する。同図に示すように、書店装置200は、ネットワーク制御部210と、制御部220と、記憶部230と、キーボードなどの入力部240と、LED等の表示部250と、記録媒体260とから構成されている。
【００３０】
ネットワーク制御部210は、ネットワーク400へのデータ入出力制御を行う機能を有する。
【００３１】
制御部220は、例えば、コンピュータによって実現されるものであり、契約部221と、代金徴収部222と、通知部223とから構成されている。
【００３２】
契約部221は、購読者装置100に契約画面情報を送信する機能や、購読者装置100からの契約情報を記憶部230に保存する機能などを有する。
【００３３】
代金徴収部222は、購読者が講読契約を行った書籍の販売日に、書籍の代金を徴収する機能を有する。
【００３４】
通知部223は、講読要求を出版社装置300へ送信する機能や、出版社装置300から送られてくる、出版社装置300が販売対象にしている書籍の一覧を示す書籍一覧情報233を記憶部230に格納する機能を有する。講読要求には、講読する電子書籍を示す書籍情報と、その配信先の購読者装置を特定するための購読者装置情報とが含まれる。購読者装置情報としては、例えば、メールアドレスを使用することができる。
【００３５】
制御部220に接続されている記録媒体260は、ディスク、半導体メモリ、その他の記録媒体であり、コンピュータからなる制御部220を電子書籍システムの一部として機能させるためのプログラムが記録されている。このプログラムは、制御部220によって読み取られ、その動作を制御することで、制御部220上に契約部221、代金徴収部222、通知部223を実現する。
【００３６】
出版社装置300は、書店装置200から送られてくる購読要求に基づいて電子書籍を購読者装置100へ配信する機能や、書店との間で決済処理を行う機能などを有する。
【００３７】
このような構成を有する出版社装置300は、例えば、図４のブロック図に示す構成を有する。同図に示すように、出版社装置300は、ネットワーク制御部310と、制御部320と、記憶部330と、キーボードなどの入力部340と、LEDなどの表示部350と、記録媒体360とから構成されている。
【００３８】
ネットワーク制御部310は、ネットワーク400を介してデータをやりとりする機能を有する。
【００３９】
制御部320は、例えば、コンピュータによって実現されるものであり、講読要求管理部321と、書籍配信部322と、決済部323と、書籍管理部324とから構成されている。
【００４０】
講読要求管理部321は、書店装置200から講読要求が送られてきたとき、それに含まれている書籍情報と購読者装置情報とを書籍配信部322に渡し、電子書籍の配信を指示する機能や、書店装置200から講読要求が送られてきたとき、それに含まれている書籍情報を決済用情報332（書店装置200が設置されている書店との間で決済を行うために使用する情報）に追加する機能などを有している。
【００４１】
書籍配信部322は、講読要求管理部321から渡された書籍情報によって示される電子書籍を、購読者装置情報によって示される購読者装置に配信する機能を有する。
【００４２】
決済部323は、決済用情報332を使用し、書店装置200が配置されている書店との間で決済処理を行う機能を有する。
【００４３】
書籍管理部324は、新たに販売する電子書籍を記憶部330に登録したり、販売を中止する電子書籍を記憶部330から削除する機能や、販売対象にしている電子書籍の一覧を示す電子書籍一覧情報を書店装置200へ送信する機能を有している。
【００４４】
制御部320に接続されている記録媒体360は、ディスク、半導体メモリ、その他の記録媒体であり、コンピュータからなる制御部320を電子書籍システムの一部として機能させるためのプログラムを記録している。このプログラムは、制御部320によって読み取られ、その動作を制御することで、制御部320上に、講読要求管理部321、書籍配信部322、決済部323、書籍管理部324を実現する。
【００４５】
記憶部330には、複数の電子書籍331-1〜331−ｎと、書店装置200が設置されている書店との間で決済を行う際に使用する決済用情報332とが格納されている。
【００４６】
なお、図１においては、購読者装置100、書店装置200、出版社装置300の台数を１台としたが、複数台であっても良い。
【００４７】
【第１の実施の形態の動作の説明】
次に、本実施の形態の動作について説明する。
【００４８】
購読者は、電子書籍を購入する場合、購読者装置100の入力部140を操作し、書店装置200へアクセスする（図５、ステップＳ501）。これにより、書店装置200内の契約部221は、契約画面情報を購読者装置100へ送信する（ステップＳ502）。
【００４９】
購読者装置100内の契約部121は、契約画面情報に基づいて、表示部150に契約画面を表示する（ステップＳ503）。図６は契約画面の一例を示している。同図に示した契約画面600には、販売対象にしている電子書籍の書籍情報（書籍名、商品番号、価格）が表示されている。また、契約画面600には、書籍情報毎の購入チェック欄601と、購読者の氏名の入力欄602と、購読者装置100を特定するための情報である電子メールアドレスの入力欄603と、購読者が代金の支払いに使用する銀行の口座番号の入力欄604と、決定ボタン605とが設けられている。
【００５０】
購読者は、図６に示すような契約画面600が表示されると、購入したい電子書籍に対応する購入チェック欄をチェックする。図６の例では、月刊誌である「月間ＸＸＸ２月号」がチェックされている。その後、購読者は、各入力欄602〜604に所定の情報を入力する。そして、必要な情報を全て入力すると、決定ボタン605をクリックする。
【００５１】
以上の操作が行われると、契約部121は、契約情報を生成し、書店装置200へ送信する（ステップＳ504）。なお、契約情報には、購読者がチェックした電子書籍の書籍情報と、各入力欄602〜604に入力された情報とが含まれている。
【００５２】
書店装置200の契約部221は、講読者装置100から契約情報が送られてくると、それを記憶部230に登録する（ステップＳ505）。今、保存した契約情報が図３に図示されている契約情報231であるとする。
【００５３】
代金徴収部222は、契約情報231が登録されると、それに含まれている書籍情報と、発売日情報232とに基づいて、現時点が上記書籍情報によって示される電子書籍の発売開始日を過ぎているか否かを判断し、過ぎている場合は、契約情報231中の口座番号によって示される銀行口座から電子書籍の販売代金を引き落とした後、契約情報231に処理完了を示す処理完了フラグを付加し、更に、契約情報231中の書籍情報および電子メールアドレスを通知部223に渡す（ステップＳ506）。なお、現時点が発売開始日を過ぎていない場合は、代金徴収部222は、処理を終了する。また、代金徴収部222は、代金の引き落としに失敗した場合は、契約情報231中の電子メールアドレスに基づいて、購読者装置100に対して書籍代金の引き落としができない旨の電子メールを送信し、代金の振込を催促する。また、代金徴収部222は、契約情報の登録時以外にも、例えば、毎日決められた時刻に、記憶部230を参照し、処理完了フラグが付加されていない契約情報が存在する場合には、その契約情報を処理対象にして前述した処理と同様の処理を行う。
【００５４】
通知部223は、代金徴収部222から書籍情報と電子メールアドレスとが渡されると、それらを含む講読要求を出版社装置300に送信する（ステップＳ507）。
【００５５】
出版社装置300内の講読要求管理部321は、書店装置200から講読要求が送られてくると、それに含まれている書籍情報および電子メールアドレスを書籍配信部322に渡すと共に、上記書籍情報を決算用情報332に追加する。書籍配信部322は、講読要求管理部321から渡された書籍情報によって示される電子書籍331-j（１≦ｊ≦ｎ）を記憶部330から取り出し、講読要求管理部321から渡された電子メールアドレスに従って、購読者装置100に配信する（ステップＳ508）。決済部323は、毎月決められた決済日に、決済用情報332に含まれている書籍情報（書店装置200からの講読要求に基づいて配信した電子書籍を示す書籍情報）に基づいて、書店装置200を設置している書店との間で、決済処理を行う（ステップＳ509）。
【００５６】
購読者装置100内の書籍管理部122は、出版社装置300から送られてきた電子書籍を記憶部130に保存する（ステップＳ510）。また、書籍管理部122は、購入者が入力部140を用いて行う操作に応じて、表示部150に表示させる電子書籍の選択、選択した電子書籍の表示、ページ送りなどを行う。なお、入力部として、タッチパネル機能付きLCDを用い、画面上に書籍選択ボタンや、ページ送りボタンを表示するようにすれば、キーボードが不要になる。
【００５７】
なお、上述した実施の形態では、説明しなかったが、購読者装置100から書店装置200へ送られてくる契約情報が、月刊誌や週刊誌の定期購読を要求するものである場合は、書店装置200において最新版の発売開始日になった時、代金の引き落としを行い、その後、出版社装置300に対して上記最新版を示す書籍情報と購読者装置100の電子メールアドレスとを含む講読要求を送信するようにすれば良い。
【００５８】
本発明の第１の実施の形態によれば、既存の社会システムである書店を廃止することなく、情報通信技術を取り入れて電子書籍システムを導入することが可能となる。その結果、従来の出版社と書店との役割分担を維持し、さらに書店のノウハウや営業網といった無形の財産も相続することができる。これにより、書店を廃止することによる弊害の発生を抑制しつつ、電子書籍システムの実現を図ることができる。その結果、既存の社会システムを生かしつつ、情報通信技術の長所を取り入れた新しい電子書籍配達方法の提供することが可能となる。
【００５９】
【第２の実施の形態】
次に、本発明の第２の実施の形態について説明する。本実施の形態の形態は、図１に示した購読者装置100、書店装置200、出版社装置300として、図７、図８、図９のブロック図に示す構成を有する購読者装置100ａ、書店装置200ａ、出版社装置300ａを使用することにより実現される。本実施の形態は、電子書籍の試読版（サンプル版）を配信することを特徴とする。
【００６０】
図７に示した購読者装置100ａと図２に示した購読者装置100との相違点は、制御部120の代わりに制御部120ａを備えている点、記録媒体160の代わりに記録媒体160ａを備えている点、および記憶部130に試読版132が格納されている点である。
【００６１】
制御部120ａは、契約部121の代わりに契約試読要求部121ａを備えている点、および書籍管理部122の代わりに書籍試読版管理部122ａを備えている点が制御部120と相違している。
【００６２】
契約試読要求部121ａは、契約部121が備えている機能に加え、購読者が契約画面上で行う操作に従って、試読要求を生成し、書店装置200ａに送信する機能を有している。
【００６３】
書籍試読版管理部122ａは、書籍管理部122が備えている機能に加え、出版社装置300ａから送られてくる試読版を記憶部130に登録する機能や、購読者が行う操作に従って試読版を表示部150に表示する機能を有する。
【００６４】
記録媒体160ａは、ディスク、半導体メモリ、その他の記録媒体であり、コンピュータからなる制御部120ａを電子書籍システムの一部として機能させるためのプログラムが記録されている。このプログラムは、制御部120ａによって読み取られ、制御部120ａの動作を制御することで、制御部120ａ上に契約試読要求部121ａ、書籍試読版管理部122ａを実現する。
【００６５】
図８に示した書店装置200ａと図３に示した書店装置200との相違点は、制御部220の代わりに制御部220ａを備えている点、および記録媒体260の代わりに記録媒体260ａを備えている点である。
【００６６】
制御部220ａは、契約部221の代わりに契約試読管理部221ａを備えている点、通知部223の代わりに通知部223ａを備えている点が制御部220と相違している。
【００６７】
契約試読管理部221ａは、契約部221が備えている機能に加え、購読者装置100ａから送られてきた試読要求を通知部223ａに渡す機能を有する。
【００６８】
通知部223ａは、通知部223が備えている機能に加え、試読要求を出版社装置300ａへ送信する機能を備えている。
【００６９】
記録媒体260ａは、ディスク、半導体メモリ、その他の記録媒体であり、コンピュータからなる制御部220ａを電子書籍システムの一部として機能させるためのプログラムが記録されている。このプログラムは、制御部220ａによって読み取られ、その動作を制御することで、制御部220ａ上に契約試読管理部221ａ、代金徴収部222、通知部223ａを実現する。
【００７０】
図９に示した出版社装置300ａと図４に示した出版社装置300との相違点は、制御部320の代わりに制御部320ａを備えている点、および記録媒体360の代わりに記録媒体360ａを備えている点である。
【００７１】
制御部320ａは、講読要求管理部321の代わりに講読試読要求管理部321ａを備えている点、および書籍配信部322の代わりに書籍試読版配信部322ａを備えている点が相違している。
【００７２】
講読試読要求管理部321ａは、講読要求管理部321が備えている機能に加え、書店装置200ａから送られてきた試読要求を書籍試読版配信部322ａに渡す機能を有している。
【００７３】
書籍試読版配信部322ａは、書籍配信部322が備えている機能に加え、電子書籍の試読版を講読者装置100ａへ配信する機能を有している。
【００７４】
記録媒体360ａは、ディスク、半導体メモリ、その他の記録媒体であり、コンピュータからなる制御部320ａを電子書籍システムの一部として機能させるためのプログラムが記録されている。このプログラムは、制御部320ａによって読み取られ、その動作を制御することで、制御部320ａ上に講読試読要求管理部321ａ、書籍試読版配信部322ａ、決済部323、書籍管理部324を実現する。
【００７５】
【第２の実施の形態の動作】
次に本実施の形態の動作について説明する。
【００７６】
購読者は、電子書籍を講読する場合、あるいは電子書籍の試読版（サンプル版）を得る場合、購読者装置100ａの入力部140を操作し、書店装置200ａにアクセスする（図１０、ステップＳ101）。これにより、書店装置200ａ内の契約試読管理部221ａは、契約画面情報を講読者装置100ａに送信する（図１１、ステップＳ111）。
【００７７】
講読者装置100ａ内の契約試読要求部121ａは、書店装置200ａから送られてきた契約画面情報に従って、表示部150に契約画面を表示する（図１０、ステップＳ102）。図１３は、このとき表示部150に表示される契約画面600ａの一例を示した図である。この契約画面600ａは、各書籍情報毎に試読チェック欄1301が設けられている点が図６に示した契約画面600と相違している。試読チェック欄1301は、電子書籍の試読版を要求する際にチェックする欄である。
【００７８】
購読者は、図１３に示すような契約画面600ａが表示されると、購入したい電子書籍がある場合には、その書籍情報に対応する購入チェック欄601をチェックし、試読版を得たい電子書籍がある場合には、その電子書籍に対応する試読チェック欄1301をチェックする。図１３の例では、月刊誌「月間ＹＹＹ２月号」に対応する試読チェック欄1301がチェックされている。購読者は、購入チェック欄601をチェックした場合には、各入力欄602〜604に必要事項を入力した後、決定ボタン605をクリックし、試読チェック欄1301をチェックした場合には、入力欄602、603に必要事項を入力した後、決定ボタン605をクリックする。
【００７９】
契約試読要求部121ａは、決定ボタン605がクリックされると、図１３に示すように試読チェック欄1301がチェックされている場合は、チェックされている電子書籍の書籍情報と、入力欄602、603に入力された情報とを含む試読要求を書店装置200ａに送信する。これに対して、購入チェック欄601がチェックされている場合は、チェックされている電子書籍の書籍情報と、各入力欄602〜604に入力された情報とを含む契約情報を書店装置200ａに送信する（図１０、ステップＳ103）。
【００８０】
書店装置200ａ内の契約試読管理部221ａは、購読者装置100ａから試読要求が送られてきた場合（図１１、ステップＳ112がＮＯ）は、試読要求を通知部223ａに渡す。これにより、通知部223ａは、試読要求を出版社装置300ａに送信する（ステップＳ114）。これに対して、契約情報が送られてきた場合（ステップＳ112がＹＥＳ）は、既に説明した図５のステップＳ505〜Ｓ507と同様の処理を行う（ステップＳ114）。
【００８１】
出版社装置300ａ内の講読試読要求管理部321ａは、書店装置200ａから講読要求が送られてきた場合（図１２、ステップＳ1201がＹＥＳ）は、既に説明してある図５のステップＳ508、Ｓ509と同様の処理を行う（ステップＳ1202）。これに対して、書店装置200ａから試読要求が送られてきた場合（ステップＳ1201がＮＯ）は、それを書籍試読版配信部322ａに渡す。
【００８２】
これにより、書籍試読版配信部322ａは、記憶部330を検索し、試読要求されている電子書籍を探し出す（ステップＳ1203）。記憶部330に格納されている電子書籍331-j（１≦ｊ≦ｎ）は、例えば、図１４に示すように、プログレッシブ性を持つものであり、書籍情報141と、電子書籍データ142とから構成され、電子書籍データ142は、低解像度データ1421と、中解像度データ1422と、高解像度データ1423とから構成されている。ステップＳ1203では、試読要求に含まれている書籍情報と同一の書籍情報141を含んでいる電子書籍を探し出す処理を行う。
【００８３】
そして、該当する電子書籍を探し出すと、それに含まれている各解像度のデータの中から、低解像度データ1421のみを切り出し、それを試読版として講読者装置100ａに配信する（ステップＳ1204、Ｓ1205）。
【００８４】
購読者装置100ａ内の書籍試読版管理部122ａは、出版社装置300ａから試読版が送られてくると、それを記憶部130に保存する（図１０、ステップＳ104）。また、書籍管理部122ａは、講読者が入力部140を用いて行う操作に応じて、表示部150に表示させる電子書籍や試読版の選択、選択した電子書籍や試読版の表示、ページ送りなどを行う。
【００８５】
このように本実施の形態によれば、見出しや写真などの大まかなイメージは読解可能だが、細かな文字などは読めないようになる。これにより、この低解像度画像情報配布方式を電子書籍のサンプル品として閲覧可能とすることで、電子書籍の正式購入するかどうか判断することが可能となる。さらに、処理が複雑で特別な暗号化技術を駆使しなくとも、サンプルやお試し版といったものを提供することが可能となり、購入前に通常行う書籍選択・書籍確認といった作業が可能となる。
【００８６】
【第３の実施の形態】
次に、本発明の第３の実施の形態について説明する。本実施の形態は、図１の購読者装置100、書店装置200、出版社装置300として、図１５、図１６、図１７に示す購読者装置100ｂ、書店装置200ｂ、出版社装置300ｂを使用することにより実現できる。本実施の形態は、暗号化した電子書籍（暗号化電子書籍）を配信することを特徴とする。
【００８７】
図１５に示した購読者装置100ｂと第２図に示した購読者装置100との相違点は、制御部120の代わりに制御部120ｂを備えている点、記録媒体160の代わりに記録媒体160ｂを備えている点、および記憶部130にチケット133および暗号化電子書籍134が登録されている点である。
【００８８】
制御部120ｂは、制御部120と、契約部121の代わりに契約部121ｂを備えている点、および書籍管理部122の代わりに暗号化書籍管理部122ｂを備えている点が相違している。
【００８９】
契約部121ｂは、契約部121が備えている機能に加え、書店装置200ｂから送られてくるチケットを記憶部130に格納する機能を備えている。
【００９０】
暗号化書籍管理部122ｂは、出版社装置300ｂから送られてくる暗号化電子書籍を記憶部130に保存する機能や、暗号化電子書籍に含まれている暗号化解除プログラムとチケットに含まれている暗号鍵とを使用して暗号化電子書籍を復号する機能を有している。
【００９１】
記録媒体160ｂは、ディスク、半導体メモリ、その他の記録媒体であり、コンピュータからなる制御部120ｂを電子書籍システムの一部として機能させるためのプログラムが記録されている。このプログラムは、制御部120ｂによって読み取られ、その動作を制御することで、制御部120ｂ上に契約部121ｂ、暗号化書籍管理部122ｂを実現する。
【００９２】
図１６に示した書店装置200ｂと図３に示した書店装置200との相違点は、制御部220の代わりに制御部220ｂを備えている点、記録媒体260の代わりに記録媒体260ｂを備えている点、および記憶部230にｎ個のチケット234−1〜234−nが格納されている点である。なお、各チケット234-1〜234−nは、それぞれ出版社装置300ｂが販売対象にしているｎ冊の暗号化電子書籍333-1〜333−nに対応するものであり、電子書籍を暗号化する際に使用した暗号鍵が含まれている。
【００９３】
制御部220ｂは、契約部221の代わりに契約部221ｂを備えている点、およびチケット管理部224を備えている点が、制御部220と相違している。
【００９４】
契約部221ｂは、契約部221が備えている機能に加え、購読者装置100ｂから送られてきた契約情報中の書籍情報をチケット管理部224に渡す機能を有する。
【００９５】
チケット管理部224は、契約部221ｂから渡された書籍情報に対応するチケット234-j（１≦ｊ≦ｎ）を記憶部230から取り出し、購読者装置100ｂへ送信する機能や、出版社装置300ｂから送られてきたチケットを記憶部230に登録する機能や、出版社装置300ｂから削除指示されたチケットを記憶部230から削除する機能を有する。
【００９６】
記録媒体260ｂは、ディスク、半導体メモリ、その他の記録媒体であり、コンピュータからなる制御部220ｂを電子書籍システムの一部として機能させるためのプログラムが記録されている。このプログラムは、制御部220ｂによって読み取られ、その動作を制御することで、制御部220ｂ上に契約部221ｂ、代金徴収部222、通知部223、チケット管理部224を実現する。
【００９７】
図１７に示す出版社装置300ｂと図４に示した出版社装置300とは、制御部320の代わりに制御部320ｂを備えている点、記録媒体360の代わりに記録媒体360ｂを備えている点、記憶部330に電子書籍331-1〜331-nの代わりに暗号化電子書籍333-1〜333-nが登録されている点が相違している。
【００９８】
制御部320ｂは、書籍配信部322の代わりに暗号化書籍配信部322ｂを備えている点、書籍管理部324の代わりに暗号化書籍管理部324ｂを備えている点が、制御部320と相違している。
【００９９】
暗号化書籍配信部322ｂは、暗号化電子書籍333-j（１≦ｊ≦ｎ）を購読者装置100ｂに配信する機能を有する。
【０１００】
暗号化書籍管理部324ｂは、新たに販売対象にする電子書籍の電子書籍データ部分を、その電子書籍固有の暗号鍵を用いて暗号化し暗号化電子書籍データを生成する機能や、上記暗号化電子書籍データと、上記電子書籍を特定するための書籍情報と、暗号化時に使用した暗号鍵が与えられることにより上記暗号化電子書籍データを復号する暗号化解除プログラムとを含む暗号化電子書籍を生成し記憶部330に登録する機能を有している。図１８は、暗号化書籍管理部324ｂが生成する暗号化電子書籍333-jの一例を示した図であり、書籍情報181と、暗号化電子書籍データ182と、暗号化解除プログラム183とを含んでいる。なお、図１８の例では示されていないが、暗号化電子書籍は、暗号化電子書籍データ以外に暗号化されていない電子書籍データを含んでいても良い。
【０１０１】
更に、暗号化書籍管理部324ｂは、販売を中止する暗号化電子書籍を記憶部330から削除する機能や、販売対象にしている電子書籍の一覧を示す電子書籍一覧情報を書店装置200ｂへ送信する機能や、暗号化電子書籍を生成する際に使用した暗号鍵と、上記暗号化電子書籍を特定するための書籍情報とを含むチケットを生成し書店装置200ｂに送信する機能や、販売を中止した電子書籍に対応するチケットの削除を指示するチケット削除指示を書店装置200ｂに送信する機能を有している。
【０１０２】
記録媒体360ｂは、ディスク、半導体メモリ、その他の記録媒体であり、コンピュータからなる制御部320ｂを電子書籍システムの一部として機能させるためのプログラムが記録されている。このプログラムは、制御部320ｂによって読み取られ、その動作を制御することで、制御部320ｂ上に講読要求管理部321、暗号化書籍配信部322ｂ、決済部323、暗号化書籍管理部324ｂを実現する。
【０１０３】
【第３の実施の形態の動作】
次に、本実施の形態の動作について説明する。
【０１０４】
購読者が書店装置200ｂをアクセスすると、書店装置200ｂから契約画面情報が購読者装置100ｂに送られ、図６に示したような契約画面が表示部140に表示される。その後、購読者が契約画面を用いて必要事項を入力すると、購読者装置100ｂから書店装置200ｂに契約情報が送られる（図１９、ステップＳ191、図２０、ステップＳ201）。
【０１０５】
書店装置200ｂ内の契約部221ｂは、購読者装置100ｂから契約情報が送られてくると、記憶部230から上記契約情報中の書籍情報と同一の書籍情報を含むチケット234-jを取り出し、購読者装置100ｂに送信する（図２０、ステップＳ202）。その後、書店装置200ｂは、既に説明してある図５のステップＳ507と同様の処理を行い、出版社装置300ｂに講読要求を送信する（ステップＳ203）。
【０１０６】
購読者装置100ｂ内の契約部121ｂは、書店装置200ｂからチケットが送られてくると、それを記憶部130に格納する（図１９、ステップＳ192）。
【０１０７】
一方、出版社装置300ｂ内の講読要求管理部321は、書店装置200ｂから講読要求が送られてくると、決済用情報332を更新すると共に、上記講読要求を暗号化書籍配信部322ｂに渡す。これにより、暗号化書籍配信部322は、講読要求中の書籍情報と同一の書籍情報を有する暗号化電子書籍を取り出し、講読要求中の電子メールアドレスによって示される購読者装置100ｂへ送信する（図２１、ステップＳ211）。その後、出版社装置300ｂは、既に説明してある図５のステップＳ509と同様の処理を行う（ステップＳ212）。
【０１０８】
購読者装置100ｂ内の暗号化書籍管理部122ｂは、出版社装置300ｂから送られてきた暗号化電子書籍を記憶部130に保存し、更に、上記暗号化電子書籍に対応するチケット中の暗号鍵と暗号化電子書籍中の暗号化解除プログラムとに基づいて暗号化電子書籍を復号する（図１９、ステップＳ193、Ｓ194）。
【０１０９】
このように本実施の形態は、暗号化電子書籍に暗号化解除プログラムが含まれているので、購読者装置100ｂに暗号化解除プログラムを備えていなくとも良く、購読者装置100ｂが簡単な構成ですむ。また重要度による暗号化を行うことで、暗号化処理後の情報量増大を効果的に低減することができる。さらにチケットに時間制限、日にち制限、閲覧制限などの情報を付加することで、購読者の閲覧条件を細かく区分けすることができるとともに、それに伴って、閲覧条件によった料金設定が可能となる。また、暗号化を用いているため、チケット購入者以外では閲覧が不可能であり、情報の漏洩対策にもなる。
【０１１０】
【本発明の第４の実施の形態】
次に本発明の第４の実施の形態について説明する。本実施の形態は、図１の購読者装置100、書店装置200、出版社装置300として、図２２、図２３、図２４に示す購読者装置100ｃ、書店装置200ｃ、出版社装置300ｃを使用することにより実現できる。本実施の形態は、購読者装置100ｃから書店装置200ｃに契約情報が送られてきた場合、上記契約情報中の書籍情報によって特定される電子書籍が書店装置200ｃに保存されている場合には、書店装置200ｃから購読者装置100ｃへ電子書籍を配信し、保存されていない場合は、出版社装置300ｃから電子書籍を取得し、それを自装置200ｃ内に保存すると共に購読者装置100ｃへ送信することを特徴とする。
【０１１１】
図２２に示す購読者装置100ｃと図２に示した購読者装置100とは、制御部120の代わりに制御部120ｃを備えている点、および記録媒体160の代わりに記録媒体160ｃを備えている点が相違している。
【０１１２】
制御部120ｃは、書籍管理部122の代わりに書籍管理部122ｃを備えている点が制御部120と相違している。書籍管理部122ｃは、書店装置200ｃから送られてきた電子書籍を記憶部130に格納する機能や、購読者が入力部140を用いて行う操作に従って電子書籍を表示部150に表示する機能などを有する。
【０１１３】
記録媒体160ｃは、ディスク、半導体メモリ、その他の記録媒体であり、コンピュータからなる制御部120ｃを電子書籍システムの一部として機能させるためのプログラムが記録されている。このプログラムは、制御部120ｃによって読み取られ、その動作を制御することで制御部120ｃ上に契約部121、書籍管理部122ｃを実現する。
【０１１４】
図２３に示す書店装置200ｃと図３に示す書店装置200とは、制御部220の代わりに制御部220ｃを備えている点、記録媒体260の代わりに記録媒体260ｃを備えている点、および記憶部230に電子書籍235、配信履歴236が保存されている点が相違している。配信履歴236は、購読者装置に配信した電子書籍を示すものである。
【０１１５】
制御部220ｃは、代金徴収部222の代わりに代金徴収部222ｃを備えている点、通知部223を備えていない点、および電子書籍要求配信部225を備えている点が制御部220と相違している。
【０１１６】
代金徴収部222ｃは、代金徴収部222が備えている機能に加え、出版社装置300ｃから配信履歴取得要求が送られてきた場合、配信履歴236を出版社装置300ｃに送信する機能を有する。
【０１１７】
電子書籍要求配信部225は、契約部221から契約情報中の書籍情報が渡されたとき、上記書籍情報によって示される電子書籍が記憶部230に保存されている場合には、その電子書籍を購読者装置100ｃに配信し、保存されていない場合は出版社装置300ｃに対して上記書籍情報を含む書籍取得要求を送信する機能や、上記書籍取得要求に応答して出版社装置300ｃから電子書籍が送られてきたとき、それを購読者装置100ｃに配信すると共に記憶部230に格納する機能や、電子書籍を配信したとき、配信履歴を更新する機能を有する。
【０１１８】
記録媒体260ｃは、ディスク、半導体メモリ、その他の記録媒体であり、コンピュータからなる制御部220ｃを電子書籍システムの一部として機能させるためのプログラムが記録されている。このプログラムは、制御部220ｃによって読み取られ、その動作を制御することで、制御部220ｃ上に契約部221、代金徴収部222ｃ、電子書籍要求配信部225を実現する。
【０１１９】
図２４に示す出版社装置300ｃと図４に示す出版社装置300とは、制御部320の代わりに制御部320ｃを備えている点、記録媒体360の代わりに記録媒体360ｃを備えている点、および記憶部330に決済用情報332が格納されていない点が相違している。
【０１２０】
制御部320ｃは、講読要求管理部321を備えていない点、決済部323の代わりに決済部323ｃを備えている点、および書籍配信部322の代わりに書籍配信部322ｃを備えている点が、制御部320と相違している。
【０１２１】
決済部323ｃは、毎月決まった決済日に書店装置200ｃに対して配信履歴取得要求を送信する機能や、上記配信履歴取得要求に応答して書店装置200ｃから送られてきた配信履歴に基づいて、書店装置200ｃを設置している書店との間で決済処理を行う機能を有する。
【０１２２】
書籍配信部322ｃは、書店装置200ｃから書籍情報を含む書籍取得要求が送られてきた場合、上記書籍情報によって示される電子書籍を記憶部330から取り出し、書店装置200ｃに送信する機能を有する。
【０１２３】
記録媒体360ｃは、ディスク、半導体メモリ、その他の記録媒体であり、コンピュータからなる制御部320ｃを電子書籍システムの一部として機能させるためのプログラムが記録されている。このプログラムは、制御部320ｃによって読み取られ、その動作を制御することで、制御部320ｃ上に書籍配信部322ｃ、決済部323ｃ、書籍管理部324を実現する。
【０１２４】
【第４の実施の形態の動作】
書店装置200ｃは、購読者装置100ｃからアクセスされると、契約画面情報を購読者装置100ｃへ送り、その後、購読者装置100ｃから契約情報が送られてくると、それを記憶部230に保存すると共に、代金の引き落とし処理を行う（図２５、ステップＳ251）。
【０１２５】
その後、書店装置200ｃ内の電子書籍要求配信部225が、購読者装置100ｃからの契約情報中の書籍情報によって特定される電子書籍が記憶部230に保存されているか否かを判断する（ステップＳ252）。
【０１２６】
そして、保存されていると判断した場合（ステップＳ252がＹＥＳ）は、契約情報中の書籍情報によって特定される電子書籍を購読者装置100ｃへ配信し、その後、今回配信した電子書籍の書籍情報を配信履歴236に追加する（ステップＳ255、Ｓ256）。
【０１２７】
これに対して保存されていないと判断した場合（ステップＳ252がＮＯ）は、契約情報中の書籍情報を含む書籍取得要求を出版社装置300ｃへ送信する（ステップＳ253）。
【０１２８】
出版社装置300ｃ内の書籍配信部322ｃは、書店装置200ｃから書籍取得要求が送られてくると、それに含まれている書籍情報によって特定される電子書籍を記憶部330から取り出し、書店装置200ｃへ送信する。
【０１２９】
書店装置200ｃ内の電子書籍要求配信部225は、出版社装置300ｃから電子書籍が送られてくると、それを記憶部230に格納すると共に、購読者装置100ｃへ送信する（ステップＳ254、Ｓ255）。その後、電子書籍要求配信部225は、配信履歴236を更新する（ステップＳ256）。
【０１３０】
本実施の形態によれば、購読者装置100ｃは、ネットワーク距離的に近い書店装置200ｃから、電子書籍を入手できるため、送信時間が軽減され、転送コストを抑えることができる。また、全国書店装置に接続されている出版社装置300ｃ側において、ネットワーク負荷を軽減でき、全体的にみて負荷分散が可能となり、スループットや反応時間の向上が期待できる。さらに、購読者装置100ｃと出版社装置300ｃとのやりとりがなくなることで、装置毎の処理役割分担がより明確になる。なお、本実施の形態と前述した第2、第３の実施の形態とを組み合わせることも可能である。
【０１３１】
【本発明の第５の実施の形態】
次に、本発明の第５の実施の形態について説明する。本実施の形態は、図１の購読者装置100、書店装置200、出版社装置300として、図２２、図２６、図２４に示す購読者装置100ｃ、書店装置200ｄ、出版社装置300ｃを使用することにより実現できる。本実施の形態は、書店装置200ｄから購読者装置100ｃに広告情報を配信することを特徴とする。
【０１３２】
図２６に示した書店装置200ｄと図２３に示した書店装置200ｃとは、制御部220ｃの代わりに制御部220ｄを備えている点、記録媒体260ｃの代わりに記録媒体260ｄを備えている点、および記憶部230に広告情報237が格納されている点である。広告情報237は、新刊図書の紹介広告や、他の商店などから依頼された広告などである。他の商店などから依頼された広告である場合には、広告費を得ることができる。また、広告情報237は、用紙に印刷されているものをイメージスキャナで読み取り電子化したものであっても、ディジタルカメラなどによって撮影されたものでも、プログラムによって作成されたものであっても構わない。
【０１３３】
制御部220ｄは、電子書籍要求配信部225の代わりに電子書籍要求配信部225ｄを備えている点が制御部220ｃと相違している。
【０１３４】
電子書籍要求配信部225ｄは、電子書籍要求配信部225が備えている機能に加え、電子書籍235を購読者装置100ｃに配信する際、広告情報237を付加して配信する機能を備えている。
【０１３５】
記録媒体260ｄは、ディスク、半導体メモリ、その他の記録媒体であり、コンピュータからなる制御部220ｄを電子書籍システムの一部として機能させるためのプログラムが記録されている。このプログラムは、制御部220ｄによって読み取られ、その動作を制御することで制御部220ｄ上に契約部221、代金徴収部222ｃ、電子書籍要求配信部225ｄを実現する。
【０１３６】
【第５の実施の形態の動作】
次に本実施の形態の動作について説明する。
【０１３７】
本実施の形態における書店装置200ｄの動作は、図２５のステップＳ255を除いて書店装置200ｃの動作と同様であるので、ステップＳ255の代わりに行う動作のみを説明する。書店装置200ｄ内の電子書籍要求配信部225ｄは、購読者装置100ｃに電子書籍を配信する際、広告情報を付加して配信する。この結果、購読者装置100ｃには、図２７に示すように、広告情報272が付加された電子書籍271が配信されることになる。この結果、購読者装置100ｃにおいて、電子書籍を表示部150に表示する際、広告情報も併せて表示されることになる。
【０１３８】
このように本実施の形態によれば、書店が広告収入を得ることが可能になる。また、各書店毎に異なった広告を挿入できることから、地域密着型の広告を挿入することが可能となる。
【０１３９】
【本発明の第６の実施の形態】
次に本発明の第６の実施の形態について説明する。本実施の形態は、図１の購読者装置100、書店装置200、出版社装置300として、図２、図３、図２８に示す購読者装置100、書店装置200、出版社装置300ｅを使用することにより実現できる。本実施の形態は、出版社装置300ｅから購読者装置100に電子書籍を配信する際、広告情報も配信することを特徴とする。
【０１４０】
図２８に示す出版社装置300ｅと図４に示す出版社装置300との相違点は、制御部320の代わりに制御部320ｅを備えている点、記録媒体360の代わりに記録媒体360ｅを備えている点、および記憶部330に広告情報334が格納されている点である。
【０１４１】
制御部320ｅは、書籍配信部322の代わりに書籍広告配信部322ｅを備えている点が制御部320と相違している。
【０１４２】
書籍広告配信部322ｅは、書籍配信部322が備えている機能に加え、購読者装置100に電子書籍を配信する際、広告情報334を付加して配信する機能を有している。広告情報334は、新刊図書の紹介広告や、他社などから依頼された広告などである。他社などから依頼された広告である場合には、広告費を得ることができる。また、広告情報334は、用紙に印刷されているものをイメージスキャナで読み取り電子化したものであっても、ディジタルカメラなどによって撮影されたものでも、プログラムによって作成されたものであっても構わない。
【０１４３】
記録媒体360ｅは、ディスク、半導体メモリ、その他の記録媒体であり、コンピュータからなる制御部320ｅを電子書籍システムの一部として機能させるためのプログラムを記録している。このプログラムは、制御部320ｅによって読み取られ、その動作を制御することで制御部320ｅ上に講読要求管理部321、書籍広告配信部322ｅ、決済部323、書籍管理部324を実現する。
【０１４４】
【第６の実施の形態の動作】
次に、本実施の形態の動作について説明する。本実施の形態の動作は、ステップＳ508を除き、第１の実施の形態と同様であるので、ステップＳ508の代わりに行う動作を説明する。出版社装置300ｅ内の書籍広告配信部322ｅは、書籍情報を購読者装置100に配信する際、広告情報334を付加して配信する。この結果、購読者装置100において電子書籍を表示部150に表示させる際、広告情報も表示される。このように、本実施の形態によれば、全国レベルの広告を電子書籍に付加して購読者装置に配信することが可能になる。
【０１４５】
なお、上述した説明においては、広告情報334を１種類しか記憶部330に格納しなかったが、複数種類の広告情報を格納しておき、配信する電子書籍の内容に合った広告情報（例えば、若者向けの電子書籍の場合には若者向けの広告など）を付加するようにしても良い。このようにするには、例えば、電子書籍と、この電子書籍に付加する広告情報との対応表を用意しておき、電子書籍を購読者装置に配信する際、対応表を参照し、配信する電子書籍に対応して登録されている広告情報も配信するようにすれば良い。
【０１４６】
【発明の効果】
以上説明したように、本発明の電子書籍システムは、購読者が購入を希望している電子書籍の書籍情報が、書店に配置されている書店装置を介して出版社装置に送られ、また、代金の徴収も書店装置において行われるので、書店を廃止することなく、購読者が自宅に居ながらにして希望する書籍を購入することができ、且つ紙の大量消費を抑制することができる、IT技術を利用した電子書籍システムを実現することが可能になる。
【０１４７】
また、本発明の電子書籍システムは、出版社装置から購読者装置へ電子書籍の低解像度部分のみを配信するだけで、試読版を配信することが可能になるので、出版社装置の構成を簡単なものにすることができる。
【０１４８】
また、本発明の電子書籍システムは、暗号化電子書籍に暗号化解除プログラムが付加されているので、購読者装置が暗号化を解除するプログラムを備え付けていなくとも、暗号化電子書籍の復号が可能になり、その結果、購読者装置の構成を簡単なものにすることができる。
【０１４９】
また、本発明の電子書籍システムは、購読者が講読を希望する電子書籍が書店装置に保存されている場合は、出版社装置よりもネットワーク距離的に近い書店装置から購読者装置に電子書籍が配信されるので、送信時間を短縮することができると共に、ネットワーク負荷を低減させることができる。
【０１５０】
また、本発明の電子書籍システムは、書店装置が、契約情報の送信元に広告情報を送信するようにしているので、地域に密着した広告情報を書店装置から購読者装置へ広告情報を配信できる。
【０１５１】
更に、本発明の電子書籍システムは、書店装置から購読者装置へ電子書籍を送信する際、広告情報を付加するようにしているので、出版社装置から全国レベルの広告を配信することが可能になる。
【図面の簡単な説明】
【図１】本発明の第１の実施の形態のブロック図である。
【図２】本発明の第１の実施の形態で使用する購読者装置100の構成例を示すブロック図である。
【図３】本発明の第１の実施の形態で使用する書店装置200の構成例を示すブロック図である。
【図４】本発明の第１の実施の形態で使用する出版社装置300の構成例を示すブロック図である。
【図５】本発明の第１の実施の形態の処理例を示す流れ図である。
【図６】契約画面600の一例を示す図である。
【図７】本発明の第２の実施の形態で使用する購読者装置100ａの構成例を示すブロック図である。
【図８】本発明の第２の実施の形態で使用する書店装置200ａの構成例を示すブロック図である。
【図９】本発明の第２の実施の形態で使用する出版社装置300ａの構成例を示すブロック図である。
【図１０】購読者装置100ａの処理例を示す流れ図である。
【図１１】書店装置200ａの処理例を示す流れ図である。
【図１２】出版社装置300ａの処理例を示す流れ図である。
【図１３】契約画面600ａの一例を示す図である。
【図１４】電子書籍331-jの一例を示す図である。
【図１５】本発明の第３の実施の形態で使用する購読者装置100ｂの構成例を示すブロック図である。
【図１６】本発明の第３の実施の形態で使用する書店装置200ｂの構成例を示すブロック図である。
【図１７】本発明の第３の実施の形態で使用する出版社装置300ｂの構成例を示すブロック図である。
【図１８】暗号化電子書籍333-jの一例を示す図である。
【図１９】購読者装置100ｂの処理例を示す流れ図である。
【図２０】書店装置200ｂの処理例を示す流れ図である。
【図２１】出版社装置300ｂの処理例を示す流れ図である。
【図２２】本発明の第４の実施の形態で使用する購読者装置100ｃの構成例を示すブロック図である。
【図２３】本発明の第４の実施の形態で使用する書店装置200ｃの構成例を示すブロック図である。
【図２４】本発明の第４の実施の形態で使用する出版社装置300ｃの構成例を示すブロック図である。
【図２５】書店装置200ｃの処理例を示す流れ図である。
【図２６】本発明の第５の実施の形態で使用する書店装置200ｄの構成例を示すブロック図である。
【図２７】広告情報272が付加された電子書籍271を示す図である。
【図２８】本発明の第６の実施の形態で使用する出版社装置300ｅの構成例を示すブロック図である。
【符号の説明】
100、100ａ、100ｂ、100ｃ…購読者装置
110…ネットワーク制御部
120、120ａ、120ｂ、120ｃ…制御部
121…契約部
121ａ…契約試読要求部
121ｂ…契約部
122…書籍管理部
122ａ…書籍試読版管理部
122ｂ…暗号化書籍管理部
122ｃ…書籍管理部
130…記憶部
131…電子書籍
132…試読版
133…チケット
134…暗号化電子書籍
140…入力部
150…表示部
160、160ａ、160ｂ、160ｃ…記録媒体
200、200ａ、200ｂ、200ｃ、200ｄ…書店装置
210…ネットワーク制御部
220、220ａ、220ｂ、220ｃ、220ｄ…制御部
221…契約部
221ａ…契約試読管理部
221ｂ…契約部
222…代金徴収部
222ｃ…代金徴収部
223…通知部
223ａ…通知部
224…チケット管理部
225…電子書籍要求配信部
225ｄ…電子書籍要求配信部
230…記憶部
231…契約情報
232…発売日情報
233…書籍一覧情報
234-1〜234-n…チケット
235…電子書籍
236…配信履歴
237…広告情報
240…入力部
250…表示部
260、260ａ、260ｂ、260ｃ、260ｄ…記憶部
300、300ａ、300ｂ、300ｃ、300ｅ…出版社装置
310…ネットワーク制御部
320、320ａ、320ｂ、320ｃ、320ｅ…制御部
321…講読要求管理部
321ａ…講読試読要求管理部
322…書籍配信部
322ａ…書籍試読版配信部
322ｂ…暗号化書籍配信部
322ｃ…書籍配信部
322ｅ…書籍広告配信部
323…決済部
323ｃ…決済部
324…書籍管理部
324ｂ…暗号化書籍管理部
330…記憶部
331-1〜331-n…電子書籍
332…決済用情報
333-1〜333-n…暗号化電子書籍
334…広告情報
340…入力部
350…表示部
360、360ａ、360ｂ、360ｃ、360ｅ…記録媒体
400…ネットワーク
600、600ａ…契約画面
【図１】
0004205348.tif 000002
【図２】
0004205348.tif 000003
【図３】
0004205348.tif 000004
【図４】
0004205348.tif 000005
【図５】
0004205348.tif 000006
【図６】
0004205348.tif 000007
【図７】
0004205348.tif 000008
【図８】
0004205348.tif 000009
【図９】
0004205348.tif 000010
【図１０】
0004205348.tif 000011
【図１１】
0004205348.tif 000012
【図１２】
0004205348.tif 000013
【図１３】
0004205348.tif 000014
【図１４】
0004205348.tif 000015
【図１５】
0004205348.tif 000016
【図１６】
0004205348.tif 000017
【図１７】
0004205348.tif 000018
【図１８】
0004205348.tif 000019
【図１９】
0004205348.tif 000020
【図２０】
0004205348.tif 000021
【図２１】
0004205348.tif 000022
【図２２】
0004205348.tif 000023
【図２３】
0004205348.tif 000024
【図２４】
0004205348.tif 000025
【図２５】
0004205348.tif 000026
【図２６】
0004205348.tif 000027
【図２７】
0004205348.tif 000028
【図２８】
0004205348.tif 000029